(57)【特許請求の範囲】
【請求項１】
搬送される媒体を支持する支持部と、
前記支持部と対向する位置に固定配置され、前記支持部に支持される前記媒体に液体を用いて記録を行う記録ヘッドと、を備え、
前記記録ヘッドは、前記液体を吐出する複数のノズルからなるノズル列を複数有し、
複数の前記ノズル列は、前記記録ヘッドにおいて前記媒体の搬送方向と交差する幅方向に並ぶよう配列され、
前記支持部は、前記記録ヘッドの前記ノズル列と対向する位置を含み、前記記録ヘッドがフラッシングを行うときに前記ノズル列から吐出された前記液体を通過可能とする打ち捨て部を有する一方、前記記録ヘッドの前記ノズル列と対向しない位置に、前記媒体を支持可能な支持面を有し、
前記支持面は、前記記録ヘッドが有する前記ノズル列同士の前記幅方向における間隙と対向する領域に設けられる第一支持面と、前記幅方向において前記第一支持面が設けられる領域よりも長い領域に亘って設けられる第二支持面と、前記幅方向の両端となる領域に設けられる第三支持面とを含み、
前記第一支持面と前記第二支持面と前記第三支持面とは面一に構成されており、
前記第二支持面は、前記支持面において少なくとも前記ノズル列が対向する領域よりも前記搬送方向の上流側となる領域と下流側となる領域とにそれぞれ設けられており、
前記支持面において前記ノズル列が対向する領域よりも前記搬送方向の上流側及び下流側にそれぞれ設けられる前記第二支持面は、前記第三支持面によりそれぞれ互いに連結されている記録装置であって、さらに、
前記打ち捨て部と連通し、前記打ち捨て部を通過する前記液体を収容する収容室と、
前記搬送方向において前記支持部よりも上流側に設けられた搬送ローラーと、
前記搬送方向において前記支持部よりも下流側に設けられた排出ローラーと、
を備え、
前記幅方向から見た場合に、前記収容室の前記搬送方向の位置は、前記搬送ローラーおよび前記排出ローラーの前記搬送方向の位置と重なる、記録装置。
【請求項２】
複数の前記ノズル列は、前記幅方向に沿ってジグザグに並び、
前記打ち捨て部は、前記支持部を貫通する貫通孔を有し、
前記貫通孔は、前記ノズル列と対向するそれぞれの位置を連なる態様で設けられる請求項１に記載の記録装置。
【請求項３】
前記打ち捨て部は、前記搬送方向の下流側に向けて上昇するように傾斜する斜面を含んで設けられていることを特徴とする請求項１または請求項２に記載の記録装置。
【請求項４】
さらに、前記液体を前記打ち捨て部から前記収容室へ引き込むためのファンを備える、請求項１から請求項３のいずれか一項に記載の記録装置。
【請求項５】
前記幅方向から見た場合に、前記ファンは、前記収容室に対して、前記搬送方向の下流側に設けられる、請求項４に記載の記録装置。
【請求項６】
前記ファンは、前記支持部上を前記媒体が搬送される際に、前記打ち捨て部を通じて前記媒体を吸引する、請求項４または請求項５に記載の記録装置。
【発明の詳細な説明】
【技術分野】
【０００１】
本発明は、例えばインクジェット式プリンターなどの記録装置に関する。
【背景技術】
【０００２】
従来から、記録装置の一種として、媒体の一例である用紙を支持する支持部と対向する位置にヘッドを固定配置し、そのヘッドに設けられる複数のノズルから液体の一例であるインクを吐出することで、支持部上を搬送される用紙に記録を行うインクジェット式のプリンターが知られている。こうしたプリンターにおいては、ヘッドにおけるノズルのインク吐出特性を維持乃至回復すべくノズル内のインクを適宜排出する、所謂フラッシングを行う必要がある。特許文献１には、複数のノズルからなるノズル群を複数備えたヘッドと対向する支持部において、ヘッドに設けられた複数のノズル郡同士の間隙と対向する位置に設けられた複数の突部により用紙を支持するプリンターが記載されている。このプリンターは、支持部においてヘッドのノズル群と対向する領域、すなわち支持部において突部同士の間となる領域に向けてインクを吐出することでフラッシングを行う。
【先行技術文献】
【特許文献】
【０００３】
【特許文献１】特開２００４−９６６７号公報
【発明の概要】
【発明が解決しようとする課題】
【０００４】
ところで、特許文献１のプリンターの場合、支持部は、ヘッドに設けられたノズル群同士の間隙と対向する部分（突部）のみで用紙を支持することになるため、支持部上を搬送される用紙の姿勢を一定に維持できない虞がある。支持部上において用紙が傾いたり撓んだりすると、ヘッドのノズルから吐出されるインクの用紙に対する着弾位置がずれてしまい、記録品質に影響する虞がある。
【０００５】
本発明は、上記実情に鑑みてなされたものであり、その目的は、液体を吐出する記録ヘッドがフラッシング可能な支持部に支持された媒体の平面度を確保できる記録装置を提供することにある。
【課題を解決するための手段】
【０００６】
以下、上記課題を解決するための手段及びその作用効果について記載する。
上記課題を解決する記録装置は、搬送される媒体を支持する支持部と、前記支持部と対向する位置に固定配置され、前記支持部に支持される前記媒体に液体を用いて記録を行う記録ヘッドと、を備え、前記記録ヘッドは、前記液体を吐出する複数のノズルからなるノズル列を複数有し、複数の前記ノズル列は、前記記録ヘッドにおいて前記媒体の搬送方向と交差する幅方向に並ぶよう配列され、前記支持部は、前記記録ヘッドの前記ノズル列と対向する位置に、前記記録ヘッドがフラッシングを行うときに前記ノズル列から吐出された前記液体を通過可能とする打ち捨て部を有する一方、前記記録ヘッドの前記ノズル列と対向しない位置に、前記媒体を支持可能な支持面を有し、前記支持面は、前記記録ヘッドが有する前記ノズル列同士の間隙と対向する領域に設けられる第一支持面と、前記幅方向において前記第一支持面が設けられる領域よりも長い領域に亘って設けられる第二支持面とを含み、前記第一支持面と前記第二支持面は面一に構成されている。
【０００７】
この構成によれば、支持部が、記録ヘッドのノズル列同士の間隙と対向する領域に設けられる第一支持面だけでなく、媒体の搬送方向と交差する幅方向において第一支持面よりも長い領域に亘って設けられる第二支持面によっても、媒体を支持することができる。すなわち、記録ヘッドのノズル列同士の間隙と対向する部分（第一支持面）だけで媒体を支持する構成と比較して、媒体に対する支持部の接触面積が増す。したがって、液体を吐出する記録ヘッドがフラッシング可能な支持部に支持された媒体の平面度を確保できる。
【０００８】
上記記録装置において、前記第二支持面は、前記支持面において少なくとも前記ノズル列が対向する領域よりも前記搬送方向の上流側となる領域に設けられていることが好ましい。
【０００９】
この構成によれば、特に、記録が行われる前の媒体の平面度を確保できる。
上記記録装置において、前記第二支持面は、前記支持面において前記ノズル列が対向する領域よりも前記搬送方向の下流側となる領域にも設けられていることが好ましい。
【００１０】
この構成によれば、記録が行われた後の媒体の平面度も確保できる。
上記記録装置において、前記支持面において前記ノズル列が対向する領域よりも前記搬送方向の上流側及び下流側にそれぞれ設けられる前記第二支持面は、前記幅方向の両端となる領域でそれぞれ互いに連結されていることが好ましい。
【００１１】
この構成によれば、支持部に支持される媒体の平面度をより確保できる。
上記記録装置において、前記支持面において前記ノズル列が対向する領域よりも前記搬送方向の上流側及び下流側にそれぞれ設けられる前記第二支持面は、前記幅方向において両端よりも内側となる領域で連結されていることが好ましい。
【００１２】
この構成によれば、支持部に支持される媒体の平面度をより確保できる。
上記記録装置において、前記打ち捨て部は、前記搬送方向の下流側に向けて上昇するように傾斜する斜面を含んで設けられていることが好ましい。
【００１３】
この構成によれば、支持部を搬送される媒体の端部が、打ち捨て部に引っ掛かってしまう虞を低減できる。
【図面の簡単な説明】
【００１４】
【図１】第一実施形態における記録装置を概略的に示す側面図。
【図２】ノズルの配列を示す記録ヘッドの下面図。
【図３】支持部の斜視図。
【図４】打ち捨て部とノズル列との位置関係を示す支持部の平面図。
【図５】支持部の平面図。
【図６】第二実施形態における記録装置が有する支持部の斜視図。
【図７】第二実施形態における支持部の平面図。
【図８】第三実施形態における記録装置が有する支持部の斜視図。
【図９】第三実施形態における支持部の平面図。
【図１０】第四実施形態における記録装置が有する支持部の斜視図。
【図１１】第四実施形態における支持部の平面図。
【図１２】第五実施形態における記録装置が有する記録ヘッドの下面図。
【図１３】第五実施形態における支持部の斜視図。
【図１４】第五実施形態における支持部の平面図。
【図１５】図１４におけるＡ−Ａ線矢視断面図。
【図１６】第六実施形態における記録装置が有する支持部の斜視図。
【図１７】第六実施形態における支持部の平面図。
【図１８】図１７におけるＢ−Ｂ線矢視断面図。
【図１９】第七実施形態における記録装置が有する記録ヘッドの下面図。
【図２０】第七実施形態における支持部の斜視図。
【図２１】第七実施形態における支持部の平面図。
【図２２】第八実施形態における記録装置が有する記録ヘッドの下面図。
【図２３】第八実施形態における支持部の斜視図。
【図２４】第八実施形態における支持部の平面図。
【発明を実施するための形態】
【００１５】
以下、記録装置の一種として、液体の一例であるインクを用いて媒体に記録を行うインクジェット式プリンターについて図面を参照して説明する。
（第一実施形態）
図１に示すように、第一実施形態における記録装置１１は、媒体の一例である用紙Ｐを積層した状態で収容可能な用紙カセット２０と、用紙カセット２０に収容される用紙Ｐを搬送する搬送部３０と、搬送部３０に搬送される用紙Ｐを下方から支持する支持部６０と、支持部６０に支持される用紙Ｐに記録を行う記録ヘッド４０とを備えている。なお、以下の説明において、用紙Ｐが支持部６０上を搬送される方向（すなわち図１において右側から左側へ向かう方向）を用紙Ｐの搬送方向Ｙと規定し、この搬送方向Ｙと交差する方向を用紙Ｐの幅方向Ｘと規定する。
【００１６】
搬送部３０は、用紙カセット２０内の最上位に位置する用紙Ｐを一枚ずつ送り出すピックアップローラー３１と、ピックアップローラー３１により送り出された用紙Ｐを支持部６０に向けて搬送する搬送ローラー対３２と、支持部６０上を通過した用紙Ｐを排出する排出ローラー対３３とを備える。すなわち、搬送ローラー対３２は、搬送方向Ｙにおいて支持部６０よりも上流側に設けられ、排出ローラー対３３は、支持部６０よりも下流側に設けられている。また、搬送部３０は、用紙Ｐが搬送される搬送経路（図１において一点鎖線で示す経路）において、ピックアップローラー３１と搬送ローラー対３２との間となる位置に設けられるガイド部３４と中継ローラー対３５とを備える。すなわち、ガイド部３４が、ピックアップローラー３１によって送り出された用紙Ｐを中継ローラー対３５に向けてガイドし、中継ローラー対３５が、ガイド部３４によりガイドされた用紙Ｐを搬送ローラー対３２へ向けて搬送する。
【００１７】
用紙Ｐを搬送する搬送ローラー対３２は、幅方向Ｘを軸線方向として、モーター３６の駆動により回転される駆動ローラー３７と、同じく幅方向Ｘを軸線方向として、駆動ローラー３７の回転に従動回転する従動ローラー３８とを備える。用紙Ｐを搬送する際、駆動ローラー３７は、用紙Ｐに対して下方から接触し、従動ローラー３８は、用紙Ｐに対して上方から接触する。すなわち、搬送ローラー対３２は、駆動ローラー３７と従動ローラー３８とで用紙Ｐを上下に挟み込んだ状態で回転することで、用紙Ｐを搬送する。なお、排出ローラー対３３及び中継ローラー対３５も、同様の構成とされている。
【００１８】
支持部６０は、板状に構成され、記録ヘッド４０と対向するその上面が、用紙Ｐに接触することで用紙Ｐを支持する支持面６１とされている。また、支持部６０には、記録ヘッド４０から吐出されるインクを通過可能とする打ち捨て部６２が設けられている。そして、この支持部６０の下方には、打ち捨て部６２を通過されるインクを収容する収容部５０が設けられている。この収容部５０は、支持部６０の打ち捨て部６２と連通する開口５１をその上方に有し、開口５１を通過したインクを収容可能な収容室５２を有している。この収容室５２には、たとえばスポンジなどのインク吸収材（不図示）が設けられている。また、収容部５０は、空気中に浮遊するインクの飛沫等を、開口５１を通じて収容室５２に引き込むためのファン５３を備えている。なお、このファン５３は、支持部６０上を用紙Ｐが搬送される際、打ち捨て部６２を通じて用紙Ｐを吸引することで、用紙Ｐの安定的な搬送を可能としている。
【００１９】
記録ヘッド４０は、支持部６０の上方であって且つ支持部６０と対向する位置に固定配置されている。また、記録ヘッド４０は、その下面である吐出面４１に複数のノズル４２が設けられ、ノズル４２からインクを吐出することにより用紙Ｐに記録を行う。なお、この記録ヘッド４０は、用紙Ｐの幅方向Ｘに亘って略同時にインクを吐出することが可能とされた長尺のヘッド、所謂ラインヘッドで構成されている。本実施形態における記録ヘッド４０は、乾燥によるノズル４２内のインクの粘度上昇や固着を避けるべく、ノズル４２からインクを勢いよく吐出する動作、所謂フラッシングを適宜行う。このフラッシングにより、記録ヘッド４０におけるインクの吐出特性が維持乃至回復される。すなわち、支持部６０に設けられる打ち捨て部６２は、フラッシングによって記録ヘッド４０のノズル４２から吐出されるインクを、記録ヘッド４０から収容部５０へと向かうように支持部６０を通過させる。
【００２０】
図２に示すように、記録ヘッド４０の吐出面４１には、複数のノズル４２からなるノズル列４３が複数設けられている。各ノズル列４３は、幅方向Ｘに並んだ複数のノズル４２により構成され、吐出面４１において互いに平行となるよう配置されている。また、各ノズル列４３は、搬送方向Ｙにおいて二列に分かれて配置され、幅方向Ｘにおいて所定の間隔をあけて配置されている。すなわち、記録ヘッド４０の吐出面４１に設けられるノズル列４３は、幅方向Ｘに沿ってジグザグに並んだ配置とされている。また、吐出面４１を搬送方向Ｙから見たときに、幅方向Ｘにおいて隣り合うノズル列４３は、互いに一部が重なるように配置されている。すなわち、ノズル４２は、吐出面４１を搬送方向Ｙから見たときに、幅方向Ｘにおいて隙間なく連続して並んでいるように見える。なお、本実施形態において、幅方向Ｘに沿って並んで設けられる複数のノズル４２は、長さＬに亘って設けられている。
【００２１】
図３及び図４に示すように、支持部６０は、用紙Ｐの幅方向Ｘに亘って長尺に構成されている。そして、支持部６０に設けられる打ち捨て部６２は、記録ヘッド４０のノズル列４３と対向する位置に設けられている。本実施形態における打ち捨て部６２は、各ノズル列４３と対向するそれぞれの位置を連なる態様で支持部６０を上下に貫通する一の貫通孔６３として設けられている。すなわち、打ち捨て部６２は、支持部６０の搬送方向Ｙにおける中央寄りとなる位置において、記録ヘッド４０の吐出面４１に設けられるノズル列４３の配列と同様に、幅方向Ｘに亘ってジグザグに延びるように設けられている。そして、フラッシングによりノズル４２から吐出されたインクは、この貫通孔６３を通過して収容部５０に収容される。また、支持部６０の上部において、打ち捨て部６２が設けられていない部分、すなわち記録ヘッド４０のノズル列４３が対向しない位置には、用紙Ｐを支持する支持面６１が設けられている。
【００２２】
図４及び図５に示すように、この支持面６１は、幅方向Ｘに並んだノズル列４３同士の間隙に対向する領域に設けられる第一支持面６４と、幅方向Ｘにおいて第一支持面６４が設けられる領域よりも長い領域に亘って設けられる第二支持面６５と、幅方向Ｘにおいてその両端となる領域にそれぞれ設けられる第三支持面６６とを含んで構成されている。本実施形態における第二支持面６５は、支持面６１において、ノズル列４３と対向する領域よりも搬送方向Ｙの上流側及び下流側となる領域にそれぞれ設けられている。なお、この第二支持面６５は、幅方向Ｘにおけるノズル４２の総幅である長さＬよりも長く延びる面とされている。
【００２３】
そして、搬送方向Ｙの上流側と下流側とに分かれて設けられるそれぞれの第二支持面６５は、幅方向Ｘの両端となる領域に設けられる第三支持面６６によって互いに連結されている。すなわち、第二支持面６５及び第三支持面６６は、支持部６０の上部に開口する貫通孔６３を囲うように設けられている。また、第一支持面６４は、記録ヘッド４０のノズル列４３同士の間隙と対向する四箇所に設けられ、それぞれ第二支持面６５と搬送方向Ｙにおいて連結されている。なお、第一支持面６４、第二支持面６５、及び第三支持面６６は、それぞれ面一となるように設けられている。
【００２４】
次に、上記のように構成された第一実施形態における記録装置１１の作用について説明する。
図４及び図５に示すように、第一実施形態における支持部６０は、記録ヘッド４０のノズル列４３が対向する位置に打ち捨て部６２が設けられ、それ以外の位置には用紙Ｐを支持するための支持面６１が設けられている。すなわち、支持面６１のうち、幅方向Ｘに並べられるノズル列４３同士の間隙と対向する領域に設けられる第一支持面６４だけでなく、幅方向Ｘにおいて第一支持面６４が設けられる領域よりも長い領域に亘って設けられる第二支持面６５も、記録ヘッド４０により記録が行われる用紙Ｐの支持に寄与する。さらに、本実施形態においては、幅方向Ｘの両端となる領域に設けられる第三支持面６６もまた、用紙Ｐの支持に寄与する。すなわち、支持部６０が、第一支持面６４だけでなく第二支持面６５及び第三支持面６６でも用紙Ｐを支持することで、支持部６０上を搬送される用紙Ｐの姿勢を一定に維持し易い構成とされている。換言すると、用紙Ｐを支持する支持面６１の領域を増やすことで、用紙Ｐの平面度を確保し易い構成とされている。
【００２５】
上記第一実施形態によれば、以下のような効果を得ることができる。
（１）支持部６０が、記録ヘッド４０のノズル列４３同士の間隙と対向する領域に設けられる第一支持面６４だけでなく、用紙Ｐの搬送方向Ｙと交差する幅方向Ｘにおいて第一支持面６４が設けられる領域よりも幅方向Ｘへ長い領域に亘って設けられる第二支持面６５によっても、用紙Ｐを支持することができる。すなわち、記録ヘッド４０のノズル列４３同士の間隙と対向する部分（第一支持面６４）だけで用紙Ｐを支持する構成と比較して、用紙Ｐに対する支持部６０の接触面積が増す。したがって、インクを吐出する記録ヘッド４０がフラッシング可能な支持部６０に支持された用紙Ｐの平面度を確保できる。
【００２６】
（２）第二支持面６５が、支持面６１において少なくともノズル列４３が対向する領域よりも搬送方向Ｙの上流側となる領域に設けられているため、記録が行われる前の用紙Ｐの平面度を確保できる。
【００２７】
（３）第二支持面６５が、支持面６１においてノズル列４３が対向する領域よりも搬送方向Ｙの下流側となる領域に設けられているため、記録が行われた後の用紙Ｐの平面度も確保できる。
【００２８】
（４）支持面６１において、搬送方向Ｙの上流側及び下流側となる領域に設けられる第二支持面６５同士が、幅方向Ｘの両端となる領域に設けられる第三支持面６６によって連結されることにより、支持部６０に支持される用紙Ｐの平面度をより確保できる。
【００２９】
（第二実施形態）
次に、記録装置１１の第二実施形態について説明する。第二実施形態における記録装置１１は、用紙Ｐを支持する支持部６０の構成が第一実施形態と異なり、その他の構成については第一実施形態と同様である。そのため、同じ構成を備える箇所については、その説明を省略する。
【００３０】
図６及び図７に示すように、第二実施形態における支持部６０は、搬送方向Ｙにおいて、支持部６０の上流側部分を構成する上流側支持部６７と、支持部６０の下流側部分を構成する下流側支持部６８とから構成されている。すなわち、支持部６０は、別体構成の上流側支持部６７と下流側支持部６８とが搬送方向Ｙに連結された構成をしている。上流側支持部６７及び下流側支持部６８は、それぞれ第一支持面６４、第二支持面６５及び第三支持面６６を備えている。上流側支持部６７と下流側支持部６８は、幅方向Ｘにおいて両端に設けられる第三支持面６６同士が面一となるように連結されることで、支持部６０を構成している。
【００３１】
上記第二実施形態によれば、第一実施形態と同様に、上記（１）〜（４）の効果を得られる。
（第三実施形態）
次に、記録装置１１の第三実施形態について説明する。第三実施形態における記録装置１１は、用紙Ｐを支持する支持部６０の構成が第二実施形態と異なり、その他の構成については第二実施形態と同様である。そのため、同じ構成を備える箇所については、その説明を省略する。
【００３２】
図８及び図９に示すように、第三実施形態における支持部６０は、下流側支持部６８の上部において、搬送方向Ｙの上流側となる縁が面取りされることで形成された面取り部６８ａを有している。この面取り部６８ａは、幅方向Ｘに亘って下流側支持部６８に設けられ、搬送方向Ｙの上流側から下流側に向けて上昇するよう傾斜している。すなわち、面取り部６８ａにより、搬送方向Ｙに沿って上流側支持部６７から下流側支持部６８に用紙Ｐが搬送される際、搬送される用紙Ｐの先端が、下流側支持部６８の縁に引っ掛かる虞が低減されている。
【００３３】
上記第三実施形態によれば、第二実施形態と同様に、上記（１）〜（４）の効果を得られる。
（第四実施形態）
次に、記録装置１１の第四実施形態について説明する。第四実施形態における記録装置１１は、用紙Ｐを支持する支持部６０の構成が第二実施形態と異なり、その他の構成については第二実施形態と同様である。そのため、同じ構成を備える箇所については、その説明を省略する。
【００３４】
図１０及び図１１に示すように、第四実施形態における支持部６０は、上流側支持部６７のみで構成されている。すなわち、打ち捨て部６２は、支持部６０の一部（第二実施形態における下流側支持部６８に相当する部分）を切り欠いたように設けられている。
【００３５】
上記第四実施形態によれば、上記（１）、（２）の効果を得られる。
（第五実施形態）
次に、記録装置１１の第五実施形態について説明する。第五実施形態における記録装置１１は、用紙Ｐを支持する支持部６０及び用紙Ｐに記録を行う記録ヘッド４０の構成が第一実施形態と異なり、その他の構成については第一実施形態と同様である。そのため、同じ構成を備える箇所については、その説明を省略する。
【００３６】
図１２に示すように、第五実施形態における記録ヘッド４０は、吐出面４１に設けられる複数のノズル列４３が、搬送方向Ｙにおいて四列に分かれて配置されている。そして、各ノズル列４３は、幅方向Ｘに沿ってジグザグに並んだ配置となるように、幅方向Ｘにおいて所定の間隔をあけて配置されている。
【００３７】
図１３、図１４及び図１５に示すように、この記録ヘッド４０と対向する支持部６０は、ノズル列４３と対向する位置に打ち捨て部６２、対向しない位置に支持面６１を備えている。インクが通過されるこの打ち捨て部６２は、支持部６０を上下に貫通する貫通孔６３と、搬送方向Ｙの上流側から下流側に向けて上昇するよう傾斜する斜面６９とを含んで構成されている。すなわち、この斜面６９は、打ち捨て部６２に落ち込んだ用紙Ｐの端部を支持可能とされている。
【００３８】
また、斜面６９の一部分であって、貫通孔６３と隣り合う位置には、貫通孔６３と同じく上下に延びる溝７０が複数形成されている。すなわち、フラッシングによって記録ヘッド４０から吐出されたインクのうち、斜面６９に吐出されたインクは、斜面６９を伝って貫通孔６３又は溝７０に流れ込み、貫通孔６３又は溝７０を通過して収容部５０に収容される。なお、斜面６９は、用紙Ｐの端部と接触することがあるため、撥水性に優れていることが好ましい。
【００３９】
上記第五実施形態によれば、上記（１）〜（４）の効果に加え、以下の効果を得られる。
（５）支持部６０を搬送される用紙Ｐの端部が、打ち捨て部６２に引っ掛かってしまう虞を低減できる。
【００４０】
（第六実施形態）
次に、記録装置１１の第六実施形態について説明する。第六実施形態における記録装置１１は、用紙Ｐを支持する支持部６０の構成が第五実施形態と異なり、その他の構成については第五実施形態と同様である。そのため、同じ構成を備える箇所については、その説明を省略する。
【００４１】
図１６、図１７及び図１８に示すように、第六実施形態における支持部６０は、記録ヘッド４０のノズル列４３と対向する位置に、それぞれ独立した打ち捨て部６２が設けられている。すなわち、打ち捨て部６２が、記録ヘッド４０の有するノズル列４３と同じ数だけ支持部６０に設けられている。それぞれの打ち捨て部６２は、支持部６０を上下に貫通する貫通孔６３と、搬送方向Ｙの上流側から下流側に向かって上昇するよう傾斜する斜面６９とを備えている。各打ち捨て部６２において、貫通孔６３は搬送方向Ｙの上流側寄りに設けられ、斜面６９は搬送方向Ｙの下流側寄りに設けられている。すなわち、記録ヘッド４０から打ち捨て部６２に吐出されたインクは、斜面６９を伝って貫通孔６３に流れ込み、貫通孔６３を通過して収容部５０に収容される。
【００４２】
また、用紙Ｐを支持する支持面６１のうち、幅方向Ｘにおいて長尺の第二支持面６５は、ノズル列４３が対向する領域よりも搬送方向Ｙの上流側及び下流側となる領域にだけでなく、搬送方向Ｙにおけるノズル列４３同士の間隙と対向する領域にも設けられている。そして、これらの第二支持面６５は、幅方向Ｘの両端となる領域において、それぞれ第三支持面６６によって連結されている。また、第二支持面６５は、幅方向Ｘの両端よりも内側となる領域においても、それぞれ第一支持面６４によって搬送方向Ｙで連結されている。
【００４３】
上記第六実施形態によれば、上記（１）〜（５）の効果に加え、以下の効果を得られる。
（６）支持面６１において、搬送方向Ｙの上流側及び下流側となる領域に設けられる第二支持面６５同士が、幅方向Ｘの両端よりも内側となる領域で連結されることにより、支持部６０に支持される用紙Ｐの平面度をより確保できる。
【００４４】
（第七実施形態）
次に、記録装置１１の第七実施形態について説明する。第七実施形態における記録装置１１は、用紙Ｐを支持する支持部６０及び用紙Ｐに記録を行う記録ヘッド４０の構成が第一実施形態と異なり、その他の構成については第一実施形態と同様である。そのため、同じ構成を備える箇所については、その説明を省略する。
【００４５】
図１９に示すように、第七実施形態における記録ヘッド４０には、幅方向Ｘに延びる複数のノズル列４３からなるノズル群４４が吐出面４１に複数設けられている。このノズル群４４は、搬送方向Ｙに四つ並んだノズル列４３により構成されている。また、一のノズル群４４を構成する各ノズル列４３は、幅方向Ｘにおける長さがそれぞれ異なっていて、一のノズル群４４の形状としては台形状になるよう設けられている。そして、台形状に設けられるノズル群４４は、幅方向Ｘに沿って、その向きが順番に互い違いになるよう吐出面４１に並んで配置されている。
【００４６】
図２０及び図２１に示すように、この記録ヘッド４０と対向する支持部６０は、ノズル列４３からなるノズル群４４と対向する位置に、それぞれ独立した打ち捨て部６２が設けられている。すなわち、打ち捨て部６２が、記録ヘッド４０の有するノズル群４４と同じ数だけ支持部６０に設けられている。打ち捨て部６２は、支持部６０の上部に開口する開口部７１と、開口部７１から支持部６０を上下に貫通する貫通孔６３とを備えている。なお、この開口部７１はノズル群４４の形状に合わせて、台形状に開口されている。そして、この打ち捨て部６２は、開口部７１と貫通孔６３によって漏斗状をなすように設けられている。すなわち、記録ヘッド４０からこの打ち捨て部６２に吐出されたインクは、開口部７１の内周面を伝って貫通孔６３に流れ込み、貫通孔６３を通過して収容部５０に収容される。
【００４７】
また、用紙Ｐを支持する支持面６１のうち、第一支持面６４は、幅方向Ｘに並んだノズル群４４同士の間隙と対向する領域に設けられている。すなわち、第一支持面６４は、幅方向Ｘに並んだノズル列４３同士の間隙と対向する領域に設けられているともいえる。そして、幅方向Ｘにおいて第一支持面６４が設けられる領域よりも長い領域に亘って設けられる第二支持面６５は、ノズル群４４と対向する領域よりも搬送方向Ｙの上流側及び下流側となる領域にそれぞれ設けられている。なお、第二支持面６５は、第三支持面６６により幅方向Ｘの両端となる領域において互いに連結されている一方で、幅方向Ｘの両端よりも内側となる領域においては第一支持面６４により連結されている。
【００４８】
上記第七実施形態によれば、上記（１）〜（６）の効果を奏する。
（第八実施形態）
次に、記録装置１１の第八実施形態について説明する。第八実施形態における記録装置１１は、用紙Ｐを支持する支持部６０及び用紙Ｐに記録を行う記録ヘッド４０の構成が第七実施形態と異なり、その他の構成については第七実施形態と同様である。そのため、同じ構成を備える箇所については、その説明を省略する。
【００４９】
図２２に示すように、第八実施形態における記録ヘッド４０の吐出面４１には、幅方向Ｘ及び搬送方向Ｙと交差する方向（すなわち斜め）に向けて延びる複数のノズル列４３が設けられている。これらのノズル列４３は、互いに平行に設けられ、幅方向Ｘにおいて所定の間隔をあけて配置されている。そして、吐出面４１には、この複数のノズル列４３からなるノズル群４４が、吐出面４１に複数設けられている。ノズル群４４は、幅方向Ｘに並ぶ四つのノズル列４３により構成されている。すなわち、ノズル群４４は、幅方向Ｘに沿って吐出面４１に並んで配置されている。
【００５０】
図２３及び図２４に示すように、この記録ヘッド４０と対向する支持部６０は、ノズル列４３からなるノズル群４４と対向する位置に、それぞれ独立した打ち捨て部６２が設けられている。すなわち、打ち捨て部６２が、記録ヘッド４０の有するノズル群４４と同じ数だけ支持部６０に設けられている。打ち捨て部６２は、支持部６０の上部に開口する開口部７１と、開口部７１から支持部６０を上下に貫通する貫通孔６３とを備えている。なお、開口部７１は、ノズル群４４の形状に合わせて開口されている。そして、記録ヘッド４０からこの打ち捨て部６２に吐出されたインクは、開口部７１の内周面を伝って貫通孔６３に流れ込み、貫通孔６３を通過して収容部５０に収容される。
【００５１】
上記第八実施形態によれば、第七実施形態と同様に、上記（１）〜（６）の効果を奏する。
なお、上記各実施形態は以下のように変更してもよい。また、以下の変更例は適宜組み合わせてもよい。
【００５２】
・上記各実施形態において、第一支持面６４及び第二支持面６５は、支持面６１として必ずしも連続した一の面でなくともよく、それぞれ独立した面でもよい。要するに、第一支持面６４及び第二支持面６５が、互いに面一であればよい。また、第三支持面６６は、設けなくともよい。
【００５３】
・上記各実施形態において、打ち捨て部６２は、貫通孔６３を有する構成に限らず、たとえば凹部であってもよいし、その凹部にインクを吸収する吸収材を配置してもよい。この例によれば、収容部を設ける必要もない。
【００５４】
・上記各実施形態において、記録装置１１が記録を行う媒体は、用紙Ｐに限らない。たとえば、布帛やプラスチックフィルムなどでもよい。
・上記各実施形態において、支持面６１の一部を構成する第二支持面６５は、幅方向Ｘ亘って設けられたノズル４２の長さＬよりも短い領域に亘って設けられる面であってもよい。
【００５５】
・上記各実施形態において、記録装置１１は、インク以外の他の流体（液体や、機能材料の粒子が液体に分散又は混合されてなる液状体、ゲルのような流状体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【符号の説明】
【００５６】
１１…記録装置、４０…記録ヘッド、４２…ノズル、４３…ノズル列、６０…支持部、６１…支持面、６２…打ち捨て部、６３…貫通孔、６４…第一支持面、６５…第二支持面、６９…斜面、Ｐ…用紙（媒体）、Ｘ…幅方向、Ｙ…搬送方向。
【図１】
0006776568.tif 000002
【図２】
0006776568.tif 000003
【図３】
0006776568.tif 000004
【図４】
0006776568.tif 000005
【図５】
0006776568.tif 000006
【図６】
0006776568.tif 000007
【図７】
0006776568.tif 000008
【図８】
0006776568.tif 000009
【図９】
0006776568.tif 000010
【図１０】
0006776568.tif 000011
【図１１】
0006776568.tif 000012
【図１２】
0006776568.tif 000013
【図１３】
0006776568.tif 000014
【図１４】
0006776568.tif 000015
【図１５】
0006776568.tif 000016
【図１６】
0006776568.tif 000017
【図１７】
0006776568.tif 000018
【図１８】
0006776568.tif 000019
【図１９】
0006776568.tif 000020
【図２０】
0006776568.tif 000021
【図２１】
0006776568.tif 000022
【図２２】
0006776568.tif 000023
【図２３】
0006776568.tif 000024
【図２４】
0006776568.tif 000025